(57)【要約】      （修正有）【課題】自転車の速度が速過ぎて、ブレーキが負荷できる動力エネルギーを超過するのを防止し、危険を回避することにできる自転車の定速構造を提供する。【解決手段】自転車の定速構造は、自転車上に制御器、定速構造２０とロープ５０を装着し、制御器は、定速構造２０と車輪を分離し、定速構造２０は平時、作用を生成せず、坂を下る時、制御器は、定速構造２０と車輪を結合して、自転車の車輪が一定速度を超過すると、定速構造２０が自転車に減速効果を生成させ、自転車を安定下速度で維持する。自転車の速度が速過ぎて、ブレーキが負荷できる動力エネルギーを超過するのを防止し、危険を回避する。【選択図】図１
0003146902.tif 000002
【実用新案登録請求の範囲】
【請求項１】
自転車が坂を下る際の定速構造であって、自転車上に、
定速機構、摩擦輪、制御スイッチ、ロープ、複数の固定リングと調整リングを設置し、
前記自転車は、本体上の後輪前端に旋転棒を設置し、
前記定速機構は、外殻、心軸、複数のローター、複数のばね、複数の偏心軸、複数のE字型フックと鎖接ボルトからなり、前記外殻は凹型の中空短円柱で、上方は旋転棒孔を有し、右側は鎖接点を有し、前記外殻中央はベアリングを有し、前記心軸は円軸で、前端は円形板を形成し、前記円形板上に複数の透孔を設置し、前記心軸もう一端は、鎖孔を有し、前記ローター前後が相接し、中空円柱を形成し、前記ローター一端外縁が角が欠けており、もう一端内縁はノッチを形成して、両ローター両端の接合箇所は重畳し、前記ローター一端と中央に、それぞれ弾性孔を有し、端点箇所の弾性孔後方は、軸孔を貫通し、前記ローター円周の最外側は摩擦皮で、前記偏心軸は階段状の円柱で、底端は上方が突起して大きい外径を突出し、頂端はE字型フック接合槽を有し、組み合わせ時、複数の偏心軸底端が前記円形板の透孔上に設置されると共に、ローターの軸孔を穿過し、前記E字型フックが前記偏心軸のE字型フック接合槽に設置され、前記ばねが、前記ローター上の異なる位置の弾性孔を穿過して、各ローターの相関位置を固定し、前記心軸は前記外殻のベアリングを穿過し、この時、前記摩擦皮と前記外殻はギャップを有し、前記定速機構が、前記旋転棒に装着され、前記定速機構外殻上に鎖接点を有し、前記ロープ一端を接続し、
前記摩擦輪は前記定速機構の心軸に設置され、外表面は特殊な紋様を有し、
前記制御スイッチは、前記自転車のハンドル横棒に装着され、
前記ロープは、前記制御スイッチに接続され、複数の固定リングと調整リングを穿過し、一端が前記外殻に設置され、
前記固定リングは、前記自転車本体に設置されて、前記ロープが穿過して、前記ロープの位置を固定し、
前記調整リングは、接合リングと調整柱に分けられ、前記接合リングは自転車本体に設置され、内部の内螺紋を有し、前記調整柱は中空柱体で、外部に螺紋を有し、前記接合リングと螺接し、前記調整柱を螺旋して、前記調整リングの高度を調整し、両者が結合後、前記ロープを穿過し、
上述の構造により、前記制御スイッチがオンになると、前記ロープが前記固定リングと前記調整リングにより前記定速機構を引動し、前記摩擦輪が前記自転車の後輪に接触し、前記後輪が前記摩擦輪を帯動して回転させ、前記心軸を旋転させ、前記ローターは遠心力を生成し、前記心軸が一定の程度に外張する時、前記ローターの遠心力がばねの力を超過し、前記ローターを外張させ、前記ローターが一定程度外張される時、前記ローター外部の摩擦皮が前記定速機構の外殻内縁に接触し、前記摩擦皮と前記外殻が摩擦減衰を生成し、摩擦力により前記ローターの回転速度を減少させ、前記心軸と前記摩擦輪により、前記減衰力を前記後輪に伝導して、減速の目的を達成し、一旦、回転速度が減速して、前記摩擦皮が前記外殻と接触しなくなると、前記後輪の回転を阻止する減衰がないので、前記自転車が坂を下る時、ブレーキが利かない速度に無制限に増加することがなく、坂が終わる、或いは、坂がゆるくなると、前記後輪は回転速度が下降し、前記ローターは旋転により生成される遠心力が、前記ばねの弾力より小さく、前記摩擦皮と前記外殻を分離して、定速使用を終了することを特徴とする自転車の定速構造。
【請求項２】
前記旋転棒と前記旋転棒孔箇所に弾性定位装置を設置して、未使用の摩擦輪が前記後輪に接触するのを防止することを特徴とする請求項１に記載の自転車の定速構造。
【請求項３】
前記調整リングは高度を調整することができ、前記ロープが前記摩擦輪と前記後輪との間を調整することを特徴とする請求項１に記載の自転車の定速構造。
【考案の詳細な説明】
【技術分野】
【０００１】
本考案は、自転車の定速構造に関し、特に、自転車が坂を下る際に、速度が速くなりすぎるのを防止する定速構造に関するものである。
【背景技術】
【０００２】
一般の自転車は、前後にブレーキがあり、減速や停止時に使用し、自転車の重量が軽く、後輪が地を踏ん張る力には限りがあり、自転車速度も速くないので、ブレーキ制動力は高くなく、自転車が上り坂の時は速度は制御可能であるが、下り坂が長くなると、自転車が滑り、速度が生成する動力エネルギーが、ブレーキ制動力を超過し、一旦、突発状況が発生すると、事故が起こりやすい。
【考案の開示】
【考案が解決しようとする課題】
【０００３】
よって、本考案は、自転車の定速構造を提供し、定速機構と後輪の接触により、定速機構内のローターの遠心力が大きくなると、生成される摩擦減衰が大きくなり、自転車の速度が一定に制限され、一定速度を維持し、自転車の速度が速くなりすぎるのを防止することを目的とする。
【課題を解決するための手段】
【０００４】
本考案の自転車の定速構造は、自転車上に制御器、定速構造とロープを装着し、制御器は、定速構造と車輪を分離し、定速構造は平時、作用を生成せず、坂を下る時、制御器は、定速構造と車輪を結合して、自転車の車輪が一定速度を超過すると、定速構造が自転車に減速効果を生成させ、自転車が安定下速度で維持され、自転車の速度が速過ぎて、ブレーキが負荷できる動力エネルギーを超過するのを防止し、危険を回避する。
【考案の効果】
【０００５】
本考案は、自転車が坂を下る時、定速機構と後輪の接触により、定速機構内のローターの遠心力が大きくなると、生成される摩擦減衰が大きくなり、自転車の速度が一定に制限され、一定速度を維持し、自転車の速度が速くなりすぎるのを防止することができる。
【考案を実施するための最良の形態】
【０００６】
本考案は、自転車１０上に、定速機構２０、摩擦輪３０、制御スイッチ４０、ロープ５０、複数の固定リング６０と調整リング７０を設置する。
【０００７】
図１のように、制御スイッチ４０は、自転車１０のハンドル横棒１１に装着され、自転車１０の後輪１２前端に旋転棒１３を設置し、旋転棒１３は定速機構２０を設置する。定速機構２０の外殻２１上端の旋転棒孔２１１と旋転棒１３は接合し、定速機構２０心軸２２は外殻２１に露出し、心軸２２は摩擦輪３０を接続し、定速機構２０外殻２１上の鎖接点２１２は、ロープ５０一端を接続する。ロープ５０は複数の固定リング６０と調整リング７０を穿過し、ロープ５０のもう一端は制御スイッチ４０に接続される。図５で示されるように、摩擦輪３０と後輪１２は未接触である。旋転棒１３と旋転棒孔２１に、弾性定位装置を設置して、未使用の摩擦輪３０が後輪１２に接触するのを防止し、調整リング７０は摩擦輪３０と後輪１２の間隔を調整することができる。
【０００８】
図２〜図４のように、定速機構２０は、外殻２１、心軸２２、複数のローター２３、複数のばね２４、複数の偏心軸２５、複数のE字型フックと鎖接ボルトからなり、外殻２１は凹型の中空短円柱で、上方は旋転棒孔２１１を有し、右側は鎖接点２１２を有し、外殻２１中央はベアリング２１３を有し、心軸２２は円軸で、前端は円形板２２１を形成し、円形板２２１上に複数の透孔を設置する。心軸２２もう一端は、鎖孔を有し、ローター２３前後が相接し、中空円柱を形成する。ローター２３一端外縁が角が欠けており、もう一端内縁はノッチを形成して、両ローター２３両端の接合箇所は、重畳し、ローター２３前後は皆、ローター２３前後と重畳し、ローター２３一端と中央に、それぞれ弾性孔を有する。端点箇所の弾性孔後方は、軸孔を貫通し、ローター２３円周の最外側は摩擦皮２３１で、偏心軸２５は階段状の円柱で、底端は上方が突起して大きい外径で、頂端はE字型フック接合槽を有する。組み合わせ時、複数の偏心軸２５底端が円形板２２１の透孔上に設置されると共に、ばね２４が異なるローター２３上の弾性孔を穿過し、各ローター２３の相関位置を固定し、心軸２２は外殻２１のベアリング２１３を穿過し、この時、摩擦皮２３１と外殻２１はギャップを有し、摩擦輪３０外表面は特殊な紋様を有して、摩擦力を増加する。
【０００９】
制御スイッチ４０がオンになり、ロープ５０が固定リング６０と調整リング７０により定速機構20を引動し、摩擦輪３０が自転車10の後輪１２に接触し、図６、図７で示されるように、後輪２１が摩擦輪３０を帯動して回転させ、心軸２２を旋転させ、ローター２３は遠心力を生成し、初めは、回転速度が遅く、遠心力が弱く、ばね２４の弾力により固定され、回転速度が増加する時、ローター２３の遠心力がばね２４の力を超過して、ローター２３が外張し、ローター２３が一定の程度に外張する時、ローター２３外部の摩擦皮２３１が定速機構２０の外殻２１に接触し、摩擦皮２３１と外殻２１が摩擦減衰を生成し、摩擦力により回転速度が遅くなり、心軸２２と摩擦力３０により、減衰が後輪１２に伝導されて、減衰低下の目的を達成する。一旦、回転速度が摩擦皮２３１が外殻２１と接触しなくなると、後輪１２の回転を阻止する減衰がないので、自転車１０が坂を下る時、ブレーキが利かない速度に無制限に増加することがなく、坂が終わる、或いは、坂がゆるくなると、自転車１０の車輪１２は回転速度が下降し、ローター２３は旋転により生成される遠心力が、ばね２４の弾力より小さく、摩擦皮２３１と外殻２１を分離して、定速使用を終了し、この時、制御スイッチ１１が元の位置に回復し、摩擦輪３０と後輪１２が分離して、次の使用まで待機する。
【００１０】
上述の具体例の構造により、以下のような効果が得られる。本考案の自転車の定速構造は、１．自転車１０が一定の速度に満たない時、定速構造２０が減衰力を生成しない。２．坂を下る時、下に滑動するのが速くなりすぎるのを防止する。３．自転車１０の速度が速くなると、ローター２３の遠心力が大きくなり、ローター２３の遠心力が摩擦皮２３１と外殻２１を接触させて、摩擦力が強くなり、摩擦力と加速度の動力エネルギーが相同の時、即ち、自転車１０が定速の時、速度が緩慢になり過ぎない。
【図面の簡単な説明】
【００１１】
【図１】本考案の使用状態図である。
【図２】本考案の立体組み合わせ図である。
【図３】本考案の立体分解図である。
【図４】本考案の組み合わせ図である。
【図５】本考案の装着図である。
【図６】本考案のローター回転動作図である。
【図７】本考案の偏擺動作図である。
【符号の説明】
【００１２】
１０    自転車
１１    ハンドル横棒
１２    後輪
１３    旋転棒
２０    定速機構
２１    外殻
２１１  旋転棒孔
２１２  鎖接点
２１３  ベアリング
２２    心軸
２２１  円形板
２３    ローター
２３１  摩擦皮
２４    ばね
２５    偏心軸
３０    摩擦輪
４０    制御スイッチ
５０    ロープ
６０    固定リング
７０    調整リング
【図１】
0003146902.tif 000003
【図２】
0003146902.tif 000004
【図３】
0003146902.tif 000005
【図４】
0003146902.tif 000006
【図５】
0003146902.tif 000007
【図６】
0003146902.tif 000008
【図７】
0003146902.tif 000009